(57)【要約】【課題】  リアプロジェクタのセット個別に投影される上下方向の画線位置調整の自由度を与えるようにし、簡単な構成で精度の高い画線位置調整を可能にし、量産のバラツキを解消するようにしたリアプロジェクタを得る。【解決手段】  光源から射出された光束を変調し、画像情報に応じて光学像を形成する光学ユニット３及び光学像を投写レンズ４により拡大投写するスクリーン６と、これらを収納するキャビネット１とを備えたリアプロジェクタであって、光学ユニット３及び投写レンズ４は一体化され、光学ユニット３にはスクリーンに投影される画線の上下方向に回動可能にされる支承用ボス７を有し、光学ユニット３の底面には斜面１１を有するアジャスターブロック１０が配置されると共に、アジャスターブロック１０には光学ユニット３との間でガタ付きしないように挟圧する抑えばね１２を備え、アジャスターブロック１０を調整ねじ１７の回転操作により支承用ボス７を支点にして光学ユニット３及び投写レンズ４を投影される画線上下方向に調整するようにした。【選択図】      図１
2006003446.tif 000002
【特許請求の範囲】
【請求項１】
光源から射出された光束を変調し、画像情報に応じて光学像を形成する光学装置及び上記光学像を投写レンズにより拡大投写する投写光学系を含む画像形成部と、上記光学装置を収納する光学ユニット筐体と、上記光学ユニット筐体及び上記投写レンズを収納する外筐体と、上記画像形成部で形成された光学像を投影するスクリーンとを備えたリアプロジェクタであって、
上記光学ユニット筐体及び上記投写レンズは一体化され、上記光学ユニット筐体には上記スクリーンに投影される画線の上下方向に回動可能にされる支承部を有し、上記光学ユニット筐体の底面には傾斜面を有するアジャスター部材が配置されると共に、上記アジャスター部材には上記光学ユニット筐体との間で相互に挟圧する抑えばねを備え、上記アジャスター部材を調整ねじの回転操作により上記支承部を支点にして上記光学ユニット筐体及び投写レンズを投影される画線上下方向に調整するようにしたことを特徴とするリアプロジェクタ。
【請求項２】
上記支承部は、上記光学ユニット筐体の上記投写レンズの近傍に配置されていることを特徴とする請求項１に記載のリアプロジェクタ。
【請求項３】
上記画線位置調整手段には、上記外筐体に設けた階段状のゲージ面を基準面に選択的に位置合わせすることで所定の画線位置に調整されることを特徴とする請求項１に記載のリアプロジェクタ。
【発明の詳細な説明】
【技術分野】
【０００１】
本発明は、透過型スクリーンに画像を表示するリアプロジェクタに関し、詳しくは、リアプロジェクタのセット毎に投影される上下方向の画線位置調整の自由度を与えることにより、精度の高い画線調整を可能にしたものである。
【背景技術】
【０００２】
透過型スクリーンのリアプロジェクタでは、投写レンズの僅かな画線の上下位置のずれは、投写レンズで拡大されてスクリーンに投影される画像には大きな画線位置のずれとなることから、スクリーンに投影される画線の上下位置の調整は極めて重要である。
【０００３】
従来、上述したような画線位置の調整機構を備えたリアプロジェクタの技術として、リアプロジェクタが組み立てられた後に、光学ユニットあるいは取付け台に量産のバラツキのセンターにスペーサー等の張物をすることで画線の調整を行っていた。また、別の方法として画線位置の調整機構を備えたリアプロジェクタの技術が提案されている。（例えば、特許文献１参照）。
【特許文献１】特開２００３−３３７３７９号公報
【発明の開示】
【発明が解決しようとする課題】
【０００４】
しかし、上述したように光学ユニットあるいは取付け台に量産のバラツキのセンターにスペーサー等の張物をするものは、リアプロジェクタが組み立てられた後の量産のバラツキに応じたそれぞれ寸法の異なる張物を用意することが必要であることから、画線位置の調整が煩雑になるといった問題がある。また、特許文献１の技術は調整機構が複雑であることから、画線位置の調整作業に時間を要するといった問題がある。
【０００５】
本発明は、上述したような課題を解消するためになされたもので、リアプロジェクタのセット個別に投影される上下方向の画線位置調整の自由度を与えるようにし、簡単な構成で精度の高い画線位置調整を可能にし、量産のバラツキを解消するようにしたリアプロジェクタを得ることを目的とする。
【課題を解決するための手段】
【０００６】
上記の課題を解決し、本発明の目的を達成するため、本発明による請求項１に記載のリアプロジェクタは、光源から射出された光束を変調し、画像情報に応じて光学像を形成する光学装置及び上記光学像を投写レンズにより拡大投写する投写光学系を含む画像形成部と、光学装置を収納する光学ユニット筐体と、光学ユニット筐体及び投写レンズを収納する外筐体と、画像形成部で形成された光学像を投影するスクリーンとを備えたリアプロジェクタであって、
光学ユニット筐体及び投写レンズは一体化され、光学ユニット筐体にはスクリーンに投影される画線の上下方向に回動可能にされる支承部を有し、光学ユニット筐体の底面には傾斜面を有するアジャスター部材が配置されると共に、アジャスター部材には光学ユニット筐体との間で相互に挟圧する抑えばねを備え、アジャスター部材を調整ねじの回転操作により支承部を支点にして光学ユニット筐体及び投写レンズを投影される画線上下方向に調整するようにしたものである。
【０００７】
また、請求項２に記載のリアプロジェクタは、画線位置調整手段の支承部が光学ユニット筐体の投写レンズの近傍に配置されているものである。
【０００８】
また、請求項３に記載のリアプロジェクタは、画線位置調整手段には外筐体に設けた階段状のゲージ面を基準面に選択的に位置合わせすることで所定の画線位置に調整されるものである。
【発明の効果】
【０００９】
本発明の請求項１に記載のリアプロジェクタによれば、アジャスター部材の進退操作をするだけで、光学ユニット筐体及び投写レンズがガタ付くこともなく、投影される画線位置を精度の高い調整を行うことができる。
【００１０】
また、本発明の請求項２に記載のリアプロジェクタによれば、画線位置調整手段の支承部が光学ユニット筐体の投写レンズの近傍に配置されたことで、アジャスター部材の僅かな進退操作で画線上下位置の調整を行うことができる。
【００１１】
また、請求項３に記載のリアプロジェクタによれば、ゲージ面を基準面に選択的に位置合わせすることで、所定の画線位置に容易に調整することができる。
【発明を実施するための最良の形態】
【００１２】
以下、本発明によるリアプロジェクタの最良の実施の形態を図面を参照して説明する。
図１はリアプロジェクタの全体の内部構成を示した側面図である。
【００１３】
リアプロジェクタの外筐体を構成するキャビネット１は、下端部にボトムキャビネット２を有している。キャビネット１内の下部には図示しない光源から射出された光束を変調し、画像情報に応じて光学像を形成する光学ユニット３と、この光学ユニット３からの光学像を拡大投写する投写レンズ４が配置されている。そして、投写レンズ４から拡大投写された光学像はキャビネット１内に斜めに配置された反射ミラー５を反射し、キャビネット１前面のスクリーン６に投影される。
【００１４】
図２は光学ユニット３と投写レンズ４の部分を拡大した側面図である。光学ユニット３と投写レンズ４とは一体にユニット化され構成されているが、光学ユニット３と投写レンズ４とはキャビネット１の仕切り壁１ａにより仕切られている。光学ユニット３は仕切り壁１ａ内に配置されているのに対して、投写レンズ４は仕切り壁１ａの外側、つまり、反射ミラー５に斜めに対峙する位置に配置されている。支承用ボス７，７と投写レンズ４は仕切り壁１ａに後述する支承部により支持されている。
【００１５】
図３に仕切り壁１ａを内側から見た図である。仕切り壁１ａの上部には左右一対のねじ孔を有する支承用ボス７，７が設けられ、支承用ボス７，７の下方には同じく一対の位置出しボス８，８が設けられている。この支承用ボス７，７に光学ユニット３がねじ９，９により固定される（図２参照）。また、位置出しボス８，８は光学ユニット３の図示しない溝が係合され、光学ユニット３を所定の位置に位置出しするためのものである。
【００１６】
このように構成されたことにより、光学ユニット３及び投写レンズ４は支承用ボス７，７を支点にして白抜き矢印で示すようにキャビネット１に対して上下方向に揺動移動可能にされる。つまり、投写レンズ４を上下に画線位置方向に移動可能にされる。
【００１７】
以下、画線位置調整機構について説明する。画線位置調整を行うための部材がアジャスターブロック１０である。アジャスターブロック１０はボトムキャビネット２上に位置し、アジャスターブロック１０の上面に備えたスロープ状の斜面１１に光学ユニット３の後端部から突出した凸部３ａが乗るように配置されたものである。
【００１８】
ここで、アジャスターブロック１０の斜面１１の後方側には、それ自体が弾性を有する板ばね状の抑えばね１２の一端部が固定されている。抑えばね１２の自由端である他端部１２ａは光学ユニット３の凸部３ａに係止するようにされ、これによって、凸部３ａをアジャスターブロック１０の斜面１１に押し当てるようにしている。つまり、抑えばね１２のばね付勢力によってアジャスターブロック１０の斜面１１に光学ユニット３をガタ付きなく押し当てるようにしている。
【００１９】
また、アジャスターブロック１０は図４に示すように、その背面側に配置した支持板１３に支持される。支持板１３の外側には弾性を付与するようにした調整ねじ支持板１４がその一端部を挟持溝１５に挟持するようにした状態で固定ねじ１６により固定される。そして、調整ねじ支持板１４及び支持板１３を通じて調整ねじ１７がアジャスターブロック１０に形成したボス型ねじ１８にねじ込まれる。
【００２０】
また、アジャスターブロック１０の端部からは階段状のゲージ片１９が形成され、このゲージ片１９が支持板１３に形成した溝孔２０に挿入される。この階段状のゲージ片１９には複数のゲージ面１９ａを有し、各ゲージ面１９ａに図５に示すように例えば、番号が表示されていると共に、各番号を読み取りやすくするために各番号に対応する位置の支持板１３部分にも番号が付されている。
【００２１】
画線位置調整機構は上記のように構成され、調整ねじ１７を時計回りあるいは反時計回り方向に回転することにより、アジャスターブロック１０が進退移動し、これにより、光学ユニット３が支承用ボス７を支点にしてその周辺の仕切り壁１ａ部分が撓み、光学ユニット３を前傾させる大きさを可変し、投写レンズ４の画線位置を調整することができるものである。すなわち、アジャスターブロック１０を進入させることで、投写レンズ４は図１の光軸ａで示す方向に移動するので投影される画線が上がる操作が行え、アジャスターブロック１０を後退させることで、投写レンズ４は図１の光軸ｂで示す方向に移動するので投影される画線が下がる操作が行える。このような画線位置調整機構を使用することによって、リアプロジェクタの量産のバラツキもなく、簡単な構成で精度の高い画線位置調整を容易に行うことができる。
【００２２】
また、アジャスターブロック１０に階段状に設けたゲージ面１９ａは、リアプロジェクタの投影される画線を調整するとき、どのくらいの画線位置で調整すればよいかの目安とする基準となるものである。例えば、「２」の数字の位置で画線調整するときは、「２」の数字のゲージ面を支持板１３の面を基準面として位置合わせするものである。以後、プロジェクタの生産において画線を調整するとき、「２」の数字のゲージ面に合わせることで画線調整すればよい。
【００２３】
また、特に本発明は、抑えばね１２のばね付勢力によってアジャスターブロック１０の斜面１１に光学ユニット３を押し当てるようにしたことで、光学ユニット３とアジャスターブロック１０との間がガタ付くこともなく、光学ユニット３の安定した移動動作が可能となり、投影される画線位置の精度の高い調整を行うことができる。
【００２４】
本発明は、上述しかつ図面に示した実施の形態に限定されるものでなく、その要旨を逸脱しない範囲内で種々の変形実施が可能である。
【図面の簡単な説明】
【００２５】
【図１】本発明に適用されるリアプロジェクタの全体の内部構成図である。
【図２】光学ユニットと投写レンズとの取り付け状態の拡大図である。
【図３】光学ユニットが支持される支承用ボスと位置出しボスの斜視図である。
【図４】本発明によるアジャスターブロックを有する画線位置調整機構の分解状態の斜視図である。
【図５】画線調整のゲージ面構造の斜視図である。
【符号の説明】
【００２６】
１…キャビネット、１ａ…仕切り壁、３…光学ユニット、４…投写レンズ、５…反射ミラー、６…スクリーン、７…支承用ボス、１０…アジャスターブロック、１１…斜面、１２…抑えばね、１３…支持板、１４…調整ねじ支持板、１７…調整ねじ、１８…ボス型ねじ、１９…ゲージ片、１９ａ…ゲージ面
【図１】
2006003446.tif 000003
【図２】
2006003446.tif 000004
【図３】
2006003446.tif 000005
【図４】
2006003446.tif 000006
【図５】
2006003446.tif 000007